(57)【要約】【課題】塵芥を入れた袋などを収納したコンテナを傾斜させて内容物を排出させる作業を安全に能率よく行なわせる。【構成】前面に上縁をヒンジ１３で開閉自由に取り付けた扉１２をそなえたコンテナ１０と、このコンテナ１０を保持して傾斜させる保持部材５をそなえる。コンテナ１０の前面上部にガイド２２と、扉１２の下部に連結部２３を設ける。内容物を収納したコンテナ１０を傾動可能な保持部材５に支持させ、コンテナ１０を傾斜させる前に、一方端を傾動しない固定部２に取り付けた引っ張り索２０を、コンテナ１０の上を通し、コンテナの扉側上部のガイド２２を介して、他方端を扉１２下部の連結部２３に連結させる。コンテナ１０を扉１２側が下向きに傾けることで、ガイド２２が引っ張り索２０を引っ張り、扉１２を引き上げて大きな角度で開かせる。【選択図】        図１
2008213899.tif 000002
【特許請求の範囲】
【請求項１】
前面に上縁をヒンジで開閉自由に取り付けた扉をそなえたコンテナと、固定部に傾動可能に支持された保持部材をそなえ、前記保持部材に保持したコンテナを扉側が下向きになるように傾斜させてコンテナに収納された内容物を排出させる排出装置において、コンテナを傾斜させる前に、一方端を固定部に取り付け、コンテナの上を通してコンテナの扉側上部のガイドを介し、扉の下部に連結した引っ張り索を設け、コンテナの傾斜により前記引っ張り索で扉を引き上げることを特徴とする排出装置。
【請求項２】
前記保持部材が、フォークリフトのフォークであり、固定部がフォークの昇降枠である請求項１の排出装置。
【発明の詳細な説明】
【技術分野】
【０００１】
本発明は、箱型のコンテナに収納された内容物を、コンテナ側面に設けられ上縁のヒンジで開閉する扉を開いて、円滑に排出させるようにした排出装置に関する。
【背景技術】
【０００２】
従来、一般家庭用あるいは業務用として出される塵芥を収納したごみ袋や、工事現場で発生する廃材などは、格子状や網状の側板と底板で箱型に形成されたコンテナに上部から投入して集積し、このコンテナを処理場に搬送し、コンテナを傾斜させて内容物を排出させている。
【０００３】
コンテナに収納された内容物を排出させる排出方法として、フォークリフトで持ち上げたスクラップ箱を、フォークを前下がりに傾斜させて箱を滑らせ、傾斜により下向きになる側板を係止している止め金具を、箱の移動によって引き外し、前記側板を下縁を軸にして倒し、倒れた側板の上を通路にして排出させるものや（特許文献１参照）、コンテナの前面に折り畳み可能にした扉を設け、コンテナを傾斜させたのちに取手で扉を引き上げるようにしたゴミ集積器（特許文献２参照）、あるいは、コンテナ前面に上下にスライドする扉を設け、コンテナ後側の上端と前記扉の上端に取り付けたワイヤを引き上げて、コンテナを傾斜させるとともに扉を引き上げて内容物を自動的に排出させるもの（特許文献３参照）などが提案されている。
【０００４】
なお、米などの粒体を収納した収納体（コンテナ）の排出側面の下部に、ヒンジによって開放される開閉板部をそなえ、前記収納体を載置台に傾動可能に取り付け、この載置台とともにトラックに載せて搬送し、載置台の上で収納体を傾斜させたときに、開閉板部が自重で開き、粒体を排出するようにした運搬装置（特許文献４参照）が示されている。
【０００５】
【特許文献１】特開平６−２６３１４５号公報
【特許文献２】特開平１１−２９２２０５号公報、０００８
【特許文献３】特開２００３−１０４３７２号公報
【特許文献４】特開平１０−１８１８９０号公報
【発明の開示】
【発明が解決しようとする課題】
【０００６】
しかし、特許文献１に示されている排出方法は、切断作業における鉄板屑や切粉などのスクラップ箱の一方の側板を倒し、底板を延長させて排出路にするものであり、下向きに開いて内容物を排出させる扉をそなえたコンテナの構成とは異なっており、この構成を利用することはできない。また、扉を上に引き上げるものは、扉の開閉機構が複雑であり、このため、扉の上縁にヒンジを設けて開閉させ、コンテナを傾斜させたときに扉が自重で自動的に開く特許文献４のような構成が用いられるが、自重で垂直に開く扉の開度はコンテナの傾斜角と同じになり、開口部の前に扉が垂れ下がっているため袋のように容積が大きく扉を押し開く力がない内容物は排出されず、作業者が扉を引き開いて排出させたり、コンテナを前後に急激に移動させて衝撃を与え、扉を振り動かすことによって排出させている。このような作業はコンテナが大きいほど面倒であり危険をともない、排出作業の能率を低下させている。
【課題を解決するための手段】
【０００７】
本発明はこのような点にかんがみ、コンテナの前面に、上縁をヒンジで開閉自由に取り付けた扉を設け、前記コンテナを傾動可能に支持させる保持部材をそなえ、この保持部材に保持されたコンテナを扉側が下向きになるように傾斜させて内容物を排出させる排出装置において、コンテナを傾斜させる前に、一方端を固定部に取り付けてコンテナの上を通したワイヤやロープなどの引っ張り索を、扉側のコンテナ上部に設けたガイドを介して扉の下部に連結させ、コンテナの傾斜により前記引っ張り索が扉を引き上げて排出口を大きく開口させるようにしている。
なお、コンテナを傾斜させる保持部材は、コンテナを載せて支持台上で片側を上下動させて傾斜させる可動台や、コンテナを運ぶフォークリフトの前下がりに傾斜するフォークなどが使用できる。
【発明の効果】
【０００８】
このように、コンテナの前面に設けた扉を、固定部からコンテナの上を通して扉側上部のガイドを介して扉の下部に連結させた引っ張り索をそなえているので、コンテナの傾斜により自重で垂直方向に開く扉を前記引っ張り索が引き上げて排出口を大きく開口させることができ、傾斜が大きいほど扉の引き上げ量が大きくなり大型の内容物でも円滑に排出させ、排出時に作業者が手を加える必要がなく安全で能率の良い排出作業を行うことができる効果が得られる。
【発明を実施するための最良の形態】
【０００９】
コンテナの一方側面に上縁をヒンジで開閉自由に取り付けた扉をそなえ、コンテナの前記扉を設けた側面を下向きに傾斜させて内容物を排出させる排出装置において、コンテナを傾斜させる前に、引っ張り索の一方端をコンテナ後方の固定部に取り付け、他方端をコンテナの上に通し、扉側上部のガイドを介して扉の下部に連結させている。
【実施例】
【００１０】
以下、図について説明する。図１はフォークリフトでコンテナを持ち上げて傾斜させ、内容物を排出するときの状態を示す側面図、図２はコンテナの実施例側面図、図３はコンテナの実施例正面図、図４は作用動作の説明図である。
１はフォークリフト、２は支柱、３は昇降枠、４は傾動枠、５はフォーク、１０はコンテナで、枠組１１にエキスバンドメタルを張って上面を開放した箱型に形成している。１２はコンテナ１０の前面の下部に設けた扉で、上縁をヒンジ１３で枠組１１に開閉自由に取り付けてある。１４はコンテナ１０の側面に設け扉が開かないようにする止めフック、１５はフォーク挿入部、１６はフォークを傾動させたときの脱落を防ぐ止めピン、２０はワイヤ、ロープなどの引っ張り索、２１は傾動しない昇降枠３に設けた引っ張り索の取付部で、たとえば引っ張り索２０の一方端に設けた環状部あるいは連結鉤を引っ掛けるようにしている。２２はコンテナ１０前面の上部に設けたガイドで、引っ張り索２０を通す孔や環、あるいは溝やローラなどが用いられる。２３は扉１２の下部に設けた連結部で、環または取手で引っ張り索２０の他方端を連結するようにしている。
【００１１】
コンテナ１０は、止めフック１４で扉１２を開かないようにして、開放された上部からごみ袋などの収納物を投入する。投入が終わると運搬車で処理場へ運ばれ、処理場ではフォークリフト１のフォーク５をコンテナ１０のフォーク挿入部１５に挿入して持ち上げ、排出場所に運ばれる。
排出場所に運ばれる前、または運ばれた後に、コンテナ１０の傾動に対して固定されている昇降枠３の取付部２１に引っ張り索２０の一方端を取り付け、この引っ張り索２０をコンテナ１０の上を通してガイド２２に導き、ガイド２２から下に垂らして扉１２の連結部２３に連結させる。この連結は、引っ張り索２０を弛まないように引っ張ることが望ましいが僅かな弛みがあっても差し支えがないので、鉤などで連結部２３に容易に連結することができる。なお、引っ張り索２０の長さをあらかじめ所定寸法にして連結部２３に連結する余裕が少ない場合は、フォーク５を逆方向に扉側を上向きに傾けると引っ張り索２０に余裕ができて、連結部２３への連結が容易になる。
【００１２】
図４において、破線は傾動する前のコンテナ１０と引っ張り索２０を示しており、実線は傾動させた後の状態を示している。
コンテナ１０を扉の側面を下向きに傾けると、従来は引っ張り索２０が無いため、扉１２は傾斜した位置のヒンジ１３から垂直に、自重でコンテナの開口部前面を覆うように垂れ下がるが、本発明では引っ張り索２０ を設けているため、傾きによりコンテナ１０のガイド２２の位置が２２ａから２２ｂに移動すると、引っ張り索２０の取付部２１からガイド２２ａまでの長さａがガイド２２ｂまでの長さｂに延ばされる。引っ張り索２０の長さは変わらないため、ガイド２２ａから連結部２３ａ間の長さｃが、ガイド２２ｂから連結部２３ｂまでの長さｄに縮められ、扉１２が引き上げられて開口部を大きく開かせる。
このため、内容物はコンテナの傾斜した底板に沿って扉１２に妨げられることなく開口部から排出される。
【００１３】
以上の実施例では、コンテナ１０の保持部材としてフォークリフト１を用い、フォーク５で傾斜させるようにしているが、トラックに乗せる基台にコンテナ１０を載置する保持台をそなえ、この保持台の一方を支柱に沿って引き上げるように構成したものなど、コンテナ１０を保持して傾斜させる保持部材と、傾斜に関係なく固定された位置に引っ張り索２０の一端を支持する取付部２１があればよい。また、コンテナ１０は枠組１１にエキスバンドメタルを張ったものに限らず、上縁をヒンジで開閉自由に取り付けた扉を設けたものであればよい。
なお、ガイド２２とヒンジ１３および扉の連結部２３の位置関係を調整することにより扉の開き角度を変えることができ、コンテナ１０を傾斜させるときにコンテナ１０が扉１２の方へ僅かに滑って移動する場合は、扉の開き角度をさらに大きくできる。
【図面の簡単な説明】
【００１４】
【図１】フォークリフトでコンテナを持ち上げて傾斜させた状態を示す側面図である。
【図２】コンテナの実施例側面図である。
【図３】コンテナの実施例正面図である。
【図４】作用動作の説明図である。
【符号の説明】
【００１５】
１  フォークリフト
２  支柱
３  昇降枠
４  傾動枠
５  フォーク
１０  コンテナ
１１  枠組
１２  扉
１３  ヒンジ
１４  止めフック
１５  フォーク挿入部
１６  止めピン
２０  引っ張り索
２１  取付部
２２  ガイド
２３  連結部
【図１】
2008213899.tif 000003
【図２】
2008213899.tif 000004
【図３】
2008213899.tif 000005
【図４】
2008213899.tif 000006
【手続補正書】
【提出日】平成20年1月8日(2008.1.8)
【手続補正１】
【補正対象書類名】特許請求の範囲
【補正対象項目名】全文
【補正方法】変更
【補正の内容】
【特許請求の範囲】
【請求項１】
前面に上縁をヒンジで開閉自由に取り付けた扉をそなえたコンテナと、固定部に傾動可能に支持された保持部材をそなえ、前記保持部材に載置したコンテナを扉側が下向きになるように傾斜させてコンテナに収納された内容物を排出させる排出装置において、コンテナを傾斜させる前に、一方端を固定部に取り付け、コンテナの上を通してコンテナの扉側上部のガイドを介し、扉の下部に連結した引っ張り索を設け、コンテナの傾斜により前記引っ張り索で扉を引き上げることを特徴とする排出装置。
【請求項２】
前記保持部材が、フォークリフトのフォークであり、固定部がフォークの昇降枠である請求項１の排出装置。
【手続補正２】
【補正対象書類名】明細書
【補正対象項目名】全文
【補正方法】変更
【補正の内容】
【発明の詳細な説明】
【技術分野】
【０００１】
本発明は、箱型のコンテナに収納された内容物を、コンテナ側面に設けられ上縁のヒンジで開閉する扉を開いて、円滑に排出させるようにした排出装置に関する。
【背景技術】
【０００２】
従来、一般家庭用あるいは業務用として出される塵芥を収納したごみ袋や、工事現場で発生する廃材などは、格子状や網状の側板と底板で箱型に形成されたコンテナに上部から投入して集積し、このコンテナを処理場に搬送し、コンテナを傾斜させて内容物を排出させている。
【０００３】
コンテナに収納された内容物を排出させる排出方法として、フォークリフトで持ち上げたスクラップ箱を、フォークを前下がりに傾斜させて箱を滑らせ、箱の移動により下向きになる前方の側板を係止している止め金具を引き外し、前記側板を下縁を軸にして倒し、倒れた側板の上を通路にして排出させるものや（特許文献１参照）、コンテナの前面に折り畳み可能にした扉を設け、コンテナを傾斜させたのちに取手で扉を上方に折り畳んで排出させるようにしたゴミ集積器（特許文献２参照）、あるいは、コンテナ前面に上下にスライドする扉を設け、コンテナ後側の上端と前記扉の上端に取り付けたワイヤを同時に引き上げて、後側のワイヤでコンテナを傾斜させるとともに、扉に取り付けたワイヤで扉を引き上げて内容物を自動的に排出させるもの（特許文献３参照）などが提案されている。
【０００４】
なお、米などの粒体を収納した収納体（コンテナ）の排出側面の下部に、ヒンジによって開放される開閉板部をそなえ、前記収納体を載置台に傾動可能に取り付け、この載置台とともにトラックに載せて搬送し、載置台の上で収納体を傾斜させたときに、開閉板部が自重で開き、粒体を排出するようにした運搬装置（特許文献４参照）が示されている。
【０００５】
【特許文献１】特開平６−２６３１４５号公報
【特許文献２】特開平１１−２９２２０５号公報、０００８
【特許文献３】特開２００３−１０４３７２号公報
【特許文献４】特開平１０−１８１８９０号公報
【発明の開示】
【発明が解決しようとする課題】
【０００６】
しかし、特許文献１に示されている排出方法は、切断作業における鉄板屑や切粉などのスクラップ箱の一方の側板を倒し、底板を延長させて排出路にするものであり、上方をヒンジで支持させ下向きに開いて内容物を排出させる扉をそなえたコンテナとは開閉構造が異なっており、特許文献１のような構成を利用することはできない。また、扉を上に引き上げるものは、扉の開閉機構が複雑であり、このため、扉の上縁にヒンジを設けて開閉させ、コンテナを傾斜させたときに扉が自重で自動的に開く特許文献４のような構成が用いられるが、自重で垂直に開く扉の開度はコンテナの傾斜角と同じになり、開口部の前に扉が垂れ下がっているため袋のように容積が大きく扉を押し開く力がない内容物は排出されず、作業者が手作業で扉を引き開いて排出させたり、コンテナを前後に急激に移動させて衝撃を与え、扉を振り動かすことによって排出させている。このような作業はコンテナが大きいほど面倒であり危険をともない、排出作業の能率を低下させている。
【課題を解決するための手段】
【０００７】
本発明はこのような点にかんがみ、コンテナの前面に、上縁をヒンジで開閉自由に取り付けた扉を設け、前記コンテナを傾動可能に支持させる保持部材をそなえ、この保持部材に保持されたコンテナを扉側が下向きになるように傾斜させて内容物を排出させる排出装置において、コンテナを傾斜させる前に、一方端を固定部に取り付けてコンテナの上を通したワイヤやロープなどの引っ張り索を、扉側のコンテナ上部に設けたガイドを介して扉の下部に連結させ、コンテナの傾斜により前記引っ張り索が扉を引き上げて排出口を大きく開口させるようにしている。
なお、コンテナを傾斜させる保持部材は、コンテナを載せて支持台の上で片側を上下動させて傾斜させる可動台や、コンテナを運ぶフォークリフトの前下がりに傾斜するフォークなどが使用できる。
【発明の効果】
【０００８】
このように、コンテナの前面に設けた扉を、固定部からコンテナの上を通して扉側の上部に設けたガイドを介して扉の下部に連結させた引っ張り索をそなえているので、コンテナの扉側を下にした傾斜により自重で垂直に開く扉の下部を前記引っ張り索が引き上げて排出口を大きく開口させることができ、傾斜が大きいほど扉の引き上げ量が大きくなり大型の内容物でも円滑に排出させ、排出時に作業者が手を加える必要がなく安全で能率の良い排出作業を行うことができる効果が得られる。
【発明を実施するための最良の形態】
【０００９】
コンテナの一方側面に上縁をヒンジで開閉自由に取り付けた扉をそなえ、コンテナの前記扉を設けた側面を下向きに傾斜させて内容物を排出させる排出装置において、コンテナを傾斜させる前に、引っ張り索の一方端をコンテナ後方の固定部に取り付け、他方端をコンテナの上を通し、扉側上部のガイドを介して扉の下部に連結させている。
【実施例】
【００１０】
以下、図について説明する。図１はフォークリフトでコンテナを持ち上げて傾斜させ、内容物を排出するときの状態を示す側面図、図２はコンテナの実施例側面図、図３はコンテナの実施例正面図、図４は作用動作の説明図である。
１はフォークリフト、２は支柱、３は傾動しない昇降枠、４は傾動枠、５はフォーク、１０はコンテナで、枠組１１にエキスバンドメタルを張って上面を開放した箱型に形成している。１２はコンテナ１０の前面の下部に設けた扉で、上縁をヒンジ１３で枠組１１に開閉自由に取り付けてある。１４はコンテナ１０の側面に設け扉が開かないようにする止めフック、１５はフォーク挿入部、１６はフォークを傾動させたときの脱落を防ぐ止めピン、２０はワイヤ、ロープなどの引っ張り索、２１はコンテナとともに昇降し固定部となる昇降枠３の上部に設けた引っ張り索の取付部で、たとえば引っ張り索２０の一方端に設けた環状部あるいは連結鉤を引っ掛けるようにしている。２２はコンテナ１０前面の上部に設けたガイドで、引っ張り索２０を通す孔や環、あるいは溝やローラなどが用いられる。２３は扉１２の下部に設けた連結部で、環または取手で引っ張り索２０の他方端を連結するようにしている。
【００１１】
コンテナ１０は、止めフック１４で扉１２を開かないようにして、開放された上部からごみ袋などの収納物を投入する。投入が終わると運搬車で処理場へ運ばれ、処理場ではフォークリフト１のフォーク５をコンテナ１０のフォーク挿入部１５に挿入して持ち上げ、排出場所に運ばれる。
排出場所に運ばれる前、または運ばれた後に、コンテナ１０の傾動に対して固定部になっている昇降枠３の取付部２１に引っ張り索２０の一方端を取り付け、この引っ張り索２０をコンテナ１０の上を通してガイド２２に導き、ガイド２２から下に垂らして扉１２の連結部２３に連結させる。この連結は、引っ張り索２０が弛まないで引っ張られた状態で連結することが望ましいが僅かな弛みがあっても差し支えがないので、連結部２３に結び付けたり鉤などで連結部２３に容易に連結することができる。なお、引っ張り索２０の長さをあらかじめ所定寸法にしておき、連結部２３に連結する余裕が少なく連結しにくい場合は、フォーク５を逆方向に扉側を上向きに傾けると引っ張り索２０に余裕ができて、連結部２３への連結が容易になる。
【００１２】
図４において、一点鎖線は傾動する前のコンテナ１０と引っ張り索２０を示しており、実線は傾動させた後の状態を示している。
コンテナ１０を止めピン１６で傾動枠４に保持して扉の側面を下向きに傾けると、従来は引っ張り索２０が無いため、扉１２は傾斜した位置のヒンジ１３から垂直に、自重でコンテナの開口部前面を覆うように垂れ下がる状態で開くが、本発明では引っ張り索２０を設けているため、傾きによりコンテナ１０のガイド２２の位置が２２ａから２２ｂに移動する。このため、引っ張り索２０の取付部２１からガイド２２ａまでの長さａがガイド２２ｂまでの長さｂに延ばされる。引っ張り索２０の長さは変わらないため、ガイド２２ａから連結部２３ａ間の長さｃが、ガイド２２ｂから連結部２３ｂまでの長さｄに縮められ、扉１２が引き上げられて開口部を大きく開かせる。
このため、内容物はコンテナの傾斜した底板に沿って扉１２に妨げられることなく開口部から排出される。
【００１３】
以上の実施例では、コンテナ１０の保持部材としてフォークリフト１を用い、フォーク５で傾斜させるようにしているが、トラックに乗せる基台にコンテナ１０を載置する保持台をそなえ、この保持台の一方を支柱に沿って引き上げるように構成したものなど、コンテナ１０を保持して傾斜させる保持部材と、傾斜に関係なく固定された位置に引っ張り索２０の一端を支持する取付部２１があればよい。また、コンテナ１０は枠組１１にエキスバンドメタルを張ったものに限らず、上縁をヒンジで開閉自由に取り付けた扉を設けたものであればよい。
なお、ガイド２２とヒンジ１３および扉の連結部２３の位置関係を調整することにより扉の開き角度を変えることができ、コンテナ１０を傾斜させるときにコンテナ１０が扉１２の方へ僅かに滑って移動する場合は、扉の開き角度をさらに大きくできる。
【図面の簡単な説明】
【００１４】
【図１】フォークリフトでコンテナを持ち上げて傾斜させた状態を示す側面図である。
【図２】コンテナの実施例側面図である。
【図３】コンテナの実施例正面図である。
【図４】作用動作の説明図である。
【符号の説明】
【００１５】
１  フォークリフト
２  支柱
３  昇降枠
４  傾動枠
５  フォーク
１０  コンテナ
１１  枠組
１２  扉
１３  ヒンジ
１４  止めフック
１５  フォーク挿入部
１６  止めピン
２０  引っ張り索
２１  取付部
２２  ガイド
２３  連結部
【手続補正３】
【補正対象書類名】図面
【補正対象項目名】図２
【補正方法】変更
【補正の内容】
【図２】
2008213899.tif 000007